(57)【特許請求の範囲】
【請求項１】
任意のコンテンツを形成する大容量データを送信して通信機器（１００）の試験を行うためのテストフレーム構成装置であって、
複数のデータピースで構成されかつ所望のコンテンツを形成するコンテンツデータを格納するコンテンツデータ格納部（１１）と、
前記コンテンツデータ格納部に格納されている前記データピースを順に読み出し、ヘッダを付加してテストフレームを構成するフレーム構成部（１２）と、
前記フレーム構成部の構成する前記テストフレームを、少なくとも所望の送信データレート、所望のインタフェース種別の設定を受けて送信するテストフレーム送信部（１３）と、
１つのフレームで送信する前記データピースのデータ量を設定するデータ量設定部（１４）と、
を備え、
前記フレーム構成部は、
前記コンテンツデータ格納部に格納されている前記コンテンツデータの先頭から順に、前記データ量設定部の設定するデータ量ずつ前記データピースを読み出し、ヘッダを付加してテストフレームを構成するとともに、
前記コンテンツデータ格納部に格納されたコンテンツデータを全て送信したときには、データ送信完了情報を前記テストフレーム送信部へ通知するテストフレーム構成装置。
【請求項２】
前記テストフレーム送信部から送信されかつテストフレームのパス情報に従って前記通信機器から転送されたテストフレームを受信するテストフレーム受信部（１６）と、
前記テストフレーム受信部の受信するデータピース及び当該データピースの配列順を蓄積するデータ蓄積部（１７）と、
前記データ蓄積部からデータピース及び当該データピースの配列順を読み出し、データピースを配列順に組み立てる組み立て部（１８）と、
前記組み立て部の組み立てたデータを表示する表示部（１９）と、
をさらに備える
ことを特徴とする請求項１に記載のテストフレーム構成装置。
【請求項３】
前記組み立て部の組み立てたデータにデータピースの欠損がある場合、前記表示部は、前記組み立て部の組み立てたデータの欠損部分を表示する
ことを特徴とする請求項２に記載のテストフレーム構成装置。
【請求項４】
前記データ量設定部は、前記テストフレームのフレームサイズを前記テストフレーム送信部から取得し、取得したフレームサイズで定められるデータ領域のデータ量を求め、前記データ量に設定する
ことを特徴とする請求項１から３のいずれかに記載のテストフレーム構成装置。
【請求項５】
前記テストフレームのパス情報を設定するパス情報設定部（１５）をさらに備え、
前記フレーム構成部は、前記パス情報設定部の設定するパス情報を用いて前記テストフレームを構成する
ことを特徴とする請求項１から４のいずれかに記載のテストフレーム構成装置。
【請求項６】
前記パス情報設定部は、前記テストフレームのパス情報を複数設定し、
前記フレーム構成部は、前記パス情報設定部の設定する複数のパス情報を用いて、パス情報の異なる複数の前記テストフレームを構成する
ことを特徴とする請求項５に記載のテストフレーム構成装置。
【請求項７】
前記フレーム構成部は、各パス情報のテストフレームを構成する際に、共通の前記コンテンツデータ格納部から前記データピースを読み出し、パス情報の異なる複数の前記テストフレームを構成する
ことを特徴とする請求項６に記載のテストフレーム構成装置。
【請求項８】
複数の前記コンテンツデータ格納部を備え、
前記フレーム構成部は、各パス情報のテストフレームを構成する際に、パス情報ごとに異なる前記コンテンツデータ格納部に格納されている前記データピースを読み出し、パス情報の異なる複数の前記テストフレームを構成する
ことを特徴とする請求項６に記載のテストフレーム構成装置。
【請求項９】
任意のコンテンツを形成する大容量データを送信して通信機器（１００）の試験を行うためのテストフレーム構成方法であって、
１つのフレームを構成する際に前記コンテンツデータ格納部から読み出す前記データピースのデータ量を設定するデータ量設定手順（Ｓ２０１）と、
予め定められたコンテンツデータ格納部に格納されかつ所望のコンテンツを形成する複数のデータピースからなるコンテンツデータを、テストフレーム構成部が、前記コンテンツデータの先頭から順に、前記データピースを前記データ量設定手順で設定したデータ量ずつ読み出し、ヘッダを付加してテストフレームを構成するフレーム構成手順（Ｓ１０１）と、
前記フレーム構成手順で構成した前記テストフレームを、テストフレーム送信部が、少なくとも所望の送信データレート、所望のインタフェース種別の設定を受けて送信するテストフレーム送信手順（Ｓ１０２）と、
を順に有し、
前記フレーム構成手順において、前記コンテンツデータ格納部に格納されたコンテンツデータを全て構成し終わったとき、前記テストフレーム構成部がデータ送信完了情報を前記テストフレーム送信部へ通知するテストフレーム構成方法。
【請求項１０】
前記テストフレーム送信手順で送信されかつテストフレームのパス情報に従って前記通信機器から転送されたテストフレームを受信し、受信したデータピース及び当該データピースの配列順を蓄積する蓄積手順と、
前記蓄積手順で蓄積したデータピース及び当該データピースの配列順を読み出し、データピースを配列順に組み立てる組み立て手順と、
前記組み立て手順で組み立てたデータを表示する表示手順と、
を前記テストフレーム送信手順の後にさらに有する請求項９に記載のテストフレーム構成方法。
【請求項１１】
前記組み立て手順で組み立てたデータにデータピースの欠損がある場合、前記表示手順において、前記組み立て手順で組み立てたデータの欠損部分を表示する
ことを特徴とする請求項１０に記載のテストフレーム構成方法。
【請求項１２】
前記データ量設定手順において、前記テストフレームのフレームサイズを取得し、取得したフレームサイズで定められるデータ領域のデータ量を、前記コンテンツデータ格納部から読み出す前記データピースのデータ量に設定する
ことを特徴とする請求項９から１１のいずれかに記載のテストフレーム構成方法。
【請求項１３】
前記テストフレームのパス情報を設定するパス情報設定手順（Ｓ２０２）を、前記フレーム構成手順の前にさらに有し、
前記フレーム構成手順において、前記パス情報設定手順で設定したパス情報を用いて前記テストフレームを構成する
ことを特徴とする請求項９から１２のいずれかに記載のテストフレーム構成方法。
【請求項１４】
前記パス情報設定手順において、前記テストフレームのパス情報を複数設定し、
前記フレーム構成手順において、パス情報の異なる複数の前記テストフレームを構成する
ことを特徴とする請求項１３に記載のテストフレーム構成方法。
【請求項１５】
前記フレーム構成手順において、各パス情報のテストフレームを構成する際に、共通の前記コンテンツデータ格納部から前記データピースを読み出し、パス情報の異なる複数の前記テストフレームを構成する
ことを特徴とする請求項１４に記載のテストフレーム構成方法。
【請求項１６】
前記フレーム構成手順において、各パス情報のテストフレームを構成する際に、パス情報ごとに異なる前記コンテンツデータ格納部から前記データピースを読み出し、パス情報の異なる複数の前記テストフレームを構成する
ことを特徴とする請求項１４に記載のテストフレーム構成方法。
【発明の詳細な説明】
【技術分野】
【０００１】
本発明は、テストフレーム構成装置及びテストフレーム構成方法に関し、特に大容量のコンテンツデータを受信する際における通信機器の試験を行うためにネットワーク試験装置から送信するテストフレームを構成するテストフレーム構成装置及びテストフレーム構成方法に関する。
【背景技術】
【０００２】
スイッチやルータやこれらを内蔵した映像中継装置である通信機器の動作を試験するネットワーク試験装置が提案されている（例えば、特許文献１参照。）。特許文献１に記載されているネットワーク試験装置は、試験用パケットを生成して試験対象に送出するか、試験用パケットを取得して試験対象に送出する。
【０００３】
特許文献１に記載されたネットワーク試験装置では、フレームのヘッダを試験対象としており、データ領域は問題としていない。このような場合、通常は、フレームのデータ領域でエラーが生じないよう、データ領域のデータに固定パターンを用いていた。
【０００４】
一方で、データ領域のデータに定められた規格に従って生成されたランダムパターンを用いて試験するネットワーク試験装置も提案されている。
【先行技術文献】
【特許文献】
【０００５】
【特許文献１】特開２０００−１７４７９５号公報
【発明の概要】
【発明が解決しようとする課題】
【０００６】
デジタル放送やストリーミング配信のように、コンテンツを大容量データとして読み出して順次フレームで伝送するネットワークサービスが増加している。しかし、従来のネットワーク試験装置はデータ領域のデータに固定パターンやランダムパターンを用いており、任意のコンテンツを形成する大容量データを送信することができない。このため、大容量のコンテンツデータを読み出したデータピースを順次フレームで伝送することが必要なコンテンツの伝送試験が行えず、前述のネットワークサービスを構成するための通信機器の試験を行うことができなかった。
【０００７】
そこで、本発明は、任意のコンテンツを形成する大容量データを送信して通信機器の試験を行うことが可能なテストフレーム構成装置及びテストフレーム構成方法の提供を目的とする。
【課題を解決するための手段】
【０００８】
上記目的を達成するために、本願発明のテストフレーム構成装置及びテストフレーム構成方法は、大容量のコンテンツデータを格納するコンテンツデータ格納部からデータピースを読み出し、読み出したデータピースにヘッダを付加してテストフレームを構成し、試験対象に送信することを特徴とする。
【０００９】
具体的には、本願発明のテストフレーム構成装置（１０１）は、任意のコンテンツを形成する大容量データを送信して通信機器（１００）の試験を行うために、複数のデータピースで構成されかつ所望のコンテンツを形成するコンテンツデータを格納するコンテンツデータ格納部（１１）と、前記コンテンツデータ格納部に格納されている前記データピースを順に読み出し、ヘッダを付加してテストフレームを構成するフレーム構成部（１２）と、前記フレーム構成部の構成する前記テストフレームを、少なくとも所望の送信データレート、所望のインタフェース種別の設定を受けて送信するテストフレーム送信部（１３）と、１つのフレームで送信する前記データピースのデータ量を設定するデータ量設定部（１４）と、を備え、前記フレーム構成部は、前記コンテンツデータ格納部に格納されている前記コンテンツデータの先頭から順に、前記データ量設定部の設定するデータ量ずつ前記データピースを読み出し、ヘッダを付加してテストフレームを構成するとともに、前記コンテンツデータ格納部に格納されたコンテンツデータを全て送信したときには、データ送信完了情報を前記テストフレーム送信部へ通知する。
【００１０】
フレーム構成部及びテストフレーム送信部を備えるため、任意のコンテンツデータを試験対象に送信して通信機器の試験を行うことができる。コンテンツデータ格納部に任意の大容量のコンテンツデータを格納することで、任意のコンテンツを形成する大容量データを送信して通信機器の試験を行うことが可能なテストフレーム構成装置を提供することができる。
データ量設定部を備えるため、１つのテストフレームで送信するデータピースのデータ量を変更することができる。これにより、テストフレームで送信するデータピースのデータ量が異なる場合の試験対象の試験を行うことができる。
【００１１】
本願発明のテストフレーム構成装置では、前記テストフレーム送信部から送信されかつテストフレームのパス情報に従って前記通信機器から転送されたテストフレームを受信するテストフレーム受信部（１６）と、前記テストフレーム受信部の受信するデータピース及び当該データピースの配列順を蓄積するデータ蓄積部（１７）と、前記データ蓄積部からデータピース及び当該データピースの配列順を読み出し、データピースを配列順に組み立てる組み立て部（１８）と、前記組み立て部の組み立てたデータを表示する表示部（１９）と、をさらに備えていてもよい。
本願発明のテストフレーム構成装置では、前記組み立て部の組み立てたデータにデータピースの欠損がある場合、前記表示部は、前記組み立て部の組み立てたデータの欠損部分を表示してもよい。
【００１２】
本願発明のテストフレーム構成装置では、前記データ量設定部は、前記テストフレームのフレームサイズを前記テストフレーム送信部から取得し、取得したフレームサイズで定められるデータ領域のデータ量を求め、前記データ量に設定してもよい。
本発明により、１つのフレームで送信することができる最大のデータ量でデータピースを送信することができる。これにより、コンテンツデータを最も効率よく送信した際における試験対象の試験を行うことができる。
【００１３】
本願発明のテストフレーム構成装置では、前記テストフレームのパス情報を設定するパス情報設定部（１５）をさらに備え、前記フレーム構成部は、前記パス情報設定部の設定するパス情報を用いて前記テストフレームを構成してもよい。
パス情報には、少なくともテストフレームの送信元アドレス及び送信先アドレスを含む。パス情報設定部を備えるため、任意のパスに設定されたテストフレームを試験対象に送信することができる。これにより、パスの異なるフレームを受信する試験対象の試験を行うことができる。
【００１４】
本願発明のテストフレーム構成装置では、前記パス情報設定部は、前記テストフレームのパス情報を複数設定し、前記フレーム構成部は、前記パス情報設定部の設定する複数のパス情報を用いて、パス情報の異なる複数の前記テストフレームを構成してもよい。
本発明により、パスの異なる複数のフレームを受信する試験対象の試験を行うことができる。
【００１５】
本願発明のテストフレーム構成装置では、前記フレーム構成部は、各パス情報のテストフレームを構成する際に、共通の前記コンテンツデータ格納部から前記データピースを読み出し、パス情報の異なる複数の前記テストフレームを構成してもよい。
本発明により、同一のコンテンツデータを複数のパスで受信する試験対象の試験を行うことができる。
【００１６】
本願発明のテストフレーム構成装置では、複数の前記コンテンツデータ格納部を備え、前記フレーム構成部は、各パス情報のテストフレームを構成する際に、パス情報ごとに異なる前記コンテンツデータ格納部に格納されている前記データピースを読み出し、パス情報の異なる複数の前記テストフレームを構成してもよい。
本発明により、パスごとに異なるコンテンツデータを受信する試験対象の試験を行うことができる。
【００１７】
具体的には、本願発明のテストフレーム構成方法は、任意のコンテンツを形成する大容量データを送信して通信機器（１００）の試験を行うために、１つのフレームを構成する際に前記コンテンツデータ格納部から読み出す前記データピースのデータ量を設定するデータ量設定手順（Ｓ２０１）と、予め定められたコンテンツデータ格納部に格納されかつ所望のコンテンツを形成する複数のデータピースからなるコンテンツデータを、テストフレーム構成部が、前記コンテンツデータの先頭から順に、前記データピースを前記データ量設定手順で設定したデータ量ずつ読み出し、ヘッダを付加してテストフレームを構成するフレーム構成手順（Ｓ１０１）と、前記フレーム構成手順で構成した前記テストフレームを、テストフレーム送信部が、少なくとも所望の送信データレート、所望のインタフェース種別の設定を受けて送信するテストフレーム送信手順（Ｓ１０２）と、を順に有し、前記フレーム構成手順において、前記コンテンツデータ格納部に格納されたコンテンツデータを全て構成し終わったとき、前記テストフレーム構成部がデータ送信完了情報を前記テストフレーム送信部へ通知する。
【００１８】
フレーム構成手順及びテストフレーム送信手順を有するため、任意のコンテンツデータを試験対象に送信して通信機器の試験を行うことができる。コンテンツデータ格納部に任意の大容量データを格納することで、任意のコンテンツを形成する大容量データを送信して通信機器の試験を行うことが可能なテストフレーム構成方法を提供することができる。
データ量設定手順を有するため、１つのテストフレームで送信するデータピースのデータ量を変更することができる。これにより、テストフレームで送信するデータピースのデータ量が異なる場合の試験対象の試験を行うことができる。
【００１９】
本願発明のテストフレーム構成方法では、前記テストフレーム送信手順で送信されかつテストフレームのパス情報に従って前記通信機器から転送されたテストフレームを受信し、受信したデータピース及び当該データピースの配列順を蓄積する蓄積手順と、前記蓄積手順で蓄積したデータピース及び当該データピースの配列順を読み出し、データピースを配列順に組み立てる組み立て手順と、前記組み立て手順で組み立てたデータを表示する表示手順と、を前記テストフレーム送信手順の後にさらに有してもよい。
本願発明のテストフレーム構成方法では、前記組み立て手順で組み立てたデータにデータピースの欠損がある場合、前記表示手順において、前記組み立て手順で組み立てたデータの欠損部分を表示してもよい。
【００２０】
本願発明のテストフレーム構成方法では、前記データ量設定手順において、前記テストフレームのフレームサイズを取得し、取得したフレームサイズで定められるデータ領域のデータ量を、前記コンテンツデータ格納部から読み出す前記データピースのデータ量に設定してもよい。
本発明により、１つのフレームで送信することができる最大のデータ量でデータピースを送信することができる。これにより、コンテンツデータを最も効率よく送信した際における試験対象の試験を行うことができる。
【００２１】
本願発明のテストフレーム構成方法では、前記テストフレームのパス情報を設定するパス情報設定手順（Ｓ２０２）を、前記フレーム構成手順の前にさらに有し、前記フレーム構成手順において、前記パス情報設定手順で設定したパス情報を用いて前記テストフレームを構成してもよい。
パス情報には、少なくともテストフレームの送信元アドレス及び送信先アドレスを含む。パス情報設定手順を有するため、任意のパスに設定されたテストフレームを試験対象に送信することができる。これにより、パスの異なるフレームを受信する試験対象の試験を行うことができる。
【００２２】
本願発明のテストフレーム構成方法では、前記パス情報設定手順において、前記テストフレームのパス情報を複数設定し、前記フレーム構成手順において、パス情報の異なる複数の前記テストフレームを構成してもよい。
本発明により、パスの異なる複数のフレームを受信する試験対象の試験を行うことができる。
【００２３】
本願発明のテストフレーム構成方法では、前記フレーム構成手順において、各パス情報のテストフレームを構成する際に、共通の前記コンテンツデータ格納部から前記データピースを読み出し、パス情報の異なる複数の前記テストフレームを構成してもよい。
本発明により、同一のコンテンツデータを複数のパスで受信する試験対象の試験を行うことができる。
【００２４】
本願発明のテストフレーム構成方法では、前記フレーム構成手順において、各パス情報のテストフレームを構成する際に、パス情報ごとに異なる前記コンテンツデータ格納部から前記データピースを読み出し、パス情報の異なる複数の前記テストフレームを構成してもよい。
本発明により、パスごとに異なるコンテンツデータを受信する試験対象の試験を行うことができる。
【００２５】
なお、上記各発明は、可能な限り組み合わせることができる。
【発明の効果】
【００２６】
本発明によれば、任意のコンテンツを形成する大容量データを送信して通信機器の試験を行うことが可能なテストフレーム構成装置及びテストフレーム構成方法を提供することができる。
【図面の簡単な説明】
【００２７】
【図１】本実施形態に係るテストフレーム構成装置の一例を示す。
【図２】コンテンツデータの一例を示す。
【図３】本実施形態に係るテストフレーム構成方法の一例を示す。
【発明を実施するための形態】
【００２８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２９】
図１に、本実施形態に係るテストフレーム構成装置の一例を示す。テストフレーム構成装置１０１は、試験対象１００に対してテストフレームを送信し、試験対象１００の送信するテストフレームを受信する。これにより、試験対象１００の試験を行う。試験対象１００は、フレームを送受信する通信機器であり、例えばスイッチやルータやこれらを内蔵する映像中継機器である。
【００３０】
テストフレーム構成装置１０１は、コンテンツデータ格納部１１と、フレーム構成部１２と、テストフレーム送信部１３と、データ量設定部１４と、パス情報設定部１５と、テストフレーム受信部１６と、データ蓄積部１７と、組み立て部１８と、表示部１９と、を備える。
【００３１】
コンテンツデータ格納部１１は、所望のコンテンツを形成するコンテンツデータを格納する。コンテンツデータ格納部１１には、例えば、ＲＡＭ（Ｒａｎｄｏｍ  Ａｃｃｅｓｓ  Ｍｅｍｏｒｙ）などのメモリ、ハードディスクを用いることができる。図２に、コンテンツデータの一例を示す。コンテンツデータＤは、デジタル放送やストリーミングなどの所望のコンテンツを形成する大容量のデータであり、例えば、画像、映像、音楽などのデータが含まれる。コンテンツデータＤは、１つのフレームでは送信しきれないデータ量を有するデータであり、１つのフレームでは送信可能な複数のデータピースｄ１、ｄ２・・・ｄＮで構成される。
【００３２】
フレーム構成部１２は、コンテンツデータ格納部１１に格納されているデータピースｄ１、ｄ２・・・ｄＮを順に読み出し、ヘッダを付加してテストフレームを構成する。例えば、フレーム構成部１２は、データピースｄ１を読み出し、データピースｄ１にヘッダを付加してテストフレームを構成する。フレーム構成部１２は、データピースｄ２を読み出し、データピースｄ２にヘッダを付加してテストフレームを構成する。このように、データの読み出しは、コンテンツデータＤを分割したデータピースｄ１、ｄ２・・・ｄＮごとに行う。データピースｄ１、ｄ２・・・ｄＮの読み出しの順は、コンテンツデータＤの先頭から順に行ってもよいし、ランダムに行ってもよい。フレーム構成部１２は、コンテンツデータＤを全て送信したときには、データ送信完了情報をテストフレーム送信部１３へ通知する。
【００３３】
テストフレーム送信部１３は、フレーム構成部１２の構成するテストフレームを、少なくとも所望の送信データレート、所望のインタフェース種別の設定を受け、その条件に従って送信する。テストフレーム送信部１３が各データピースｄ１、ｄ２・・・ｄＮを試験対象１００に送信することで、テストフレーム構成装置１０１は試験対象１００にコンテンツデータＤを送信する。これにより、コンテンツデータＤを受信する試験対象１００の負荷試験を、実際のコンテンツデータＤを用いて行うことができる。また、テストフレーム送信部１３は、フレーム構成部１２からのデータ送信完了情報を受けてテストフレームの送信を停止する。
【００３４】
試験対象１００は、テストフレーム送信部１３の送信するテストフレームを受信する。そして、試験対象１００は、テストフレームのパス情報に従って、テストフレームを送信する。ここで、パス情報には、少なくともテストフレームの送信元アドレス及び送信先アドレスを含み、ポート番号及び優先度などのヘッダ領域の各種情報を含んでいてもよい。
【００３５】
テストフレーム受信部１６は、テストフレームの送信先として、試験対象１００の送信するテストフレームを受信し、テストフレームを用いて送信された情報をデータ蓄積部１７に出力する。例えば、テストフレーム受信部１６がテストフレームを順次受信して、データピースｄ１、ｄ２・・・ｄＮ及びデータピースの配列順をデータ蓄積部１７に順次出力する。
【００３６】
データ蓄積部１７は、テストフレーム受信部１６の出力する情報を蓄積する。これによって、データピースｄ１、ｄ２・・・ｄＮ及びその配列順が蓄積される。組み立て部１８は、データ蓄積部１７の蓄積したデータピースｄ１、ｄ２・・・ｄＮをデータピースの配列順に組み立てる。表示部１９は、組み立て部１８の組み立てたコンテンツデータを表示する。
【００３７】
試験対象１００が適切にデータピースｄ１、ｄ２・・・ｄＮを伝送できていない場合、組み立て部１８でのコンテンツデータを組み立てられないか、表示部１９の表示に欠損部分が生じる。これにより、テストフレーム構成装置１０１は、コンテンツデータＤを伝送する際における試験対象１００の試験を行うことができる。
【００３８】
テストフレーム構成装置１０１は、データ量設定部１４を備えることが好ましい。データ量設定部１４は、テストフレームのフレームサイズをテストフレーム送信部１３から取得し、取得したフレームサイズで定められるデータ領域のデータ量を求め、データ量に設定する。例えば、テストフレームサイズが６４ｂｙｔｅであり、ヘッダとトレイラの合計のデータ量が３８ｂｙｔｅであれば、データ領域のデータ量は２６ｂｙｔｅである。これによりデータピースｄ１、ｄ２・・・ｄＮのデータ量が決定される。この場合、フレーム構成部１２は、コンテンツデータ格納部１１に格納されているコンテンツデータＤの先頭から順に、データ量設定部１４の設定するデータ量ずつデータピースｄ１、ｄ２・・・ｄＮを読み出し、データピースｄ１、ｄ２・・・ｄＮにヘッダを付加してテストフレームを構成する。
【００３９】
テストフレーム構成装置１０１は、パス情報設定部１５を備えることが好ましい。パス情報設定部１５は、テストフレームのパス情報を設定する。この場合、フレーム構成部１２は、パス情報設定部１５の設定するパス情報を用いてテストフレームを構成する。パス情報設定部１５を備えるため、任意の送信元アドレス及び送信先アドレスに設定されたテストフレームを試験対象１００に送信することができる。これにより、パスが異なる場合の試験対象１００の試験を行うことができる。
【００４０】
パス情報設定部１５は、テストフレームのパス情報を複数設定してもよい。この場合、フレーム構成部１２は、パス情報設定部１５の設定する複数のパス情報を用いて、パス情報の異なる複数のテストフレームを構成する。これにより、パスの異なる複数のフレームを送信する際における試験対象１００の試験を行うことができる。
【００４１】
コンテンツデータ格納部１１の数は限定しない。例えば、テストフレーム構成装置１０１は、１つのコンテンツデータ格納部１１を備えていていもよい。この場合、フレーム構成部１２は、各パス情報のテストフレームを構成する際に、共通のコンテンツデータ格納部１１からデータピースを読み出し、パス情報の異なる複数のテストフレームを構成する。同一のコンテンツデータＤを複数のパスで受信する試験対象１００の試験を行うことができる。
【００４２】
テストフレーム構成装置１０１は、複数のコンテンツデータ格納部１１を備えていていもよい。この場合、フレーム構成部１２は、各パス情報のテストフレームを構成する際に、パス情報ごとに異なるコンテンツデータ格納部１１からデータピースを読み出し、パス情報の異なる複数のテストフレームを構成する。これにより、パスごとに異なるコンテンツデータＤを受信する試験対象１００の試験を行うことができる。
【００４３】
テストフレーム構成装置１０１は、本実施形態に係るテストフレーム構成方法を実行する。図３に、本実施形態に係るテストフレーム構成方法の一例を示す。本実施形態に係るテストフレーム構成方法は、設定手順Ｓ１０３と、フレーム構成手順Ｓ１０１と、テストフレーム送信手順Ｓ１０２と、組み立て手順Ｓ１０４と、を順に有する。
【００４４】
フレーム構成手順Ｓ１０１では、フレーム構成部１２が、予め定められたコンテンツデータ格納部１１に格納されているデータピースを順に読み出し、ヘッダを付加してテストフレームを構成する。テストフレーム送信手順Ｓ１０２では、テストフレーム送信部１３が、フレーム構成手順Ｓ１０１で構成したテストフレームを送信する。
【００４５】
組み立て順Ｓ１０４では、テストフレーム受信部１６がテストフレームを受信し、データ蓄積部１７が受信データを蓄積し、組み立て部１８がデータ蓄積部１７に蓄積されているデータを組み立て、表示部１９が組み立て部１８の組み立てたデータを表示する。これにより、コンテンツデータＤを伝送する試験対象１００の試験を行うことができる。
【００４６】
本実施形態に係るテストフレーム構成方法では、フレーム構成手順Ｓ１０１の前に、設定手順Ｓ１０３を実行してもよい。設定手順Ｓ１０３では、データ量設定手順Ｓ２０１及びパス情報設定手順Ｓ２０２を実行する。
【００４７】
データ量設定手順Ｓ２０１では、データ量設定部１４が、テストフレームのフレームサイズを取得し、取得したフレームサイズで定められるデータ領域のデータ量を、コンテンツデータ格納部１１から読み出すデータのデータ量に設定する。この場合、フレーム構成手順Ｓ１０１において、フレーム構成部１２が、コンテンツデータ格納部１１に格納されているコンテンツデータＤの先頭から順に、データ量設定手順Ｓ２０１で設定したデータ量ずつ読み出す。
【００４８】
パス情報設定手順Ｓ２０２では、パス情報設定部１５が、テストフレームのパス情報を設定する。そして、フレーム構成手順Ｓ１０１において、フレーム構成部１２が、パス情報設定手順Ｓ２０２で設定したパス情報を用いてテストフレームを構成する。
【００４９】
パス情報設定手順Ｓ２０２において、テストフレームのパス情報を複数設定してもよい。この場合、フレーム構成手順Ｓ１０１において、フレーム構成部１２が、パス情報の異なる複数のテストフレームを構成する。
【００５０】
各パス情報のテストフレームを構成する際、フレーム構成部１２が、共通のコンテンツデータ格納部１１からデータピースを読み出し、パス情報の異なる複数のテストフレームを構成してもよい。これにより、同一のコンテンツデータＤを複数のパスで送信するため、コンテンツデータをマルチキャストで配信する試験対象１００の試験を行うことができる。
【００５１】
各パス情報のテストフレームを構成する際、フレーム構成部１２が、パス情報ごとに異なるコンテンツデータ格納部１１からデータピースを読み出し、パス情報の異なる複数のテストフレームを構成してもよい。これにより、パスごとに異なるコンテンツデータＤを送信するため、コンテンツデータをユニキャストで配信する際における試験対象１００の試験を行うことができる。
【００５２】
なお、データ量設定手順Ｓ２０１及びパス情報設定手順Ｓ２０２の順は限定しない。例えば、データ量設定手順Ｓ２０１の後にパス情報設定手順Ｓ２０２を実行してもよいし、パス情報設定手順Ｓ２０２の後にデータ量設定手順Ｓ２０１を実行してもよいし、データ量設定手順Ｓ２０１及びパス情報設定手順Ｓ２０２を同時に行ってもよい。また、設定手順Ｓ１０３において、データ量設定手順Ｓ２０１又はパス情報設定手順Ｓ２０２のいずれかのみを実行してもよい。
【産業上の利用可能性】
【００５３】
本発明のテストフレーム構成装置及びテストフレーム構成方法は通信機器の試験に用いることができるため、本発明は情報通信産業に利用することができる。
【符号の説明】
【００５４】
１１：コンテンツデータ格納部
１２：フレーム構成部
１３：テストフレーム送信部
１４：データ量設定部
１５：パス情報設定部
１６：テストフレーム受信部
１７：データ蓄積部
１８：組み立て部
１９：表示部
１００：試験対象
１０１：テストフレーム構成装置
【図１】
0005453147.tif 000002
【図２】
0005453147.tif 000003
【図３】
0005453147.tif 000004